(57)【要約】【課題】取付け位置の自由度を高めることで、施工性の向上を図ることができる。【解決手段】上下に嵌合する上部組付け部材及び下部組付け部材３と、下部組付け部材３の底盤体３０に載置され、底板４１及び側板４２を有する溝形状の集砂受枠４とを備え、下部組付け部材３に係止される係止部１１と、集砂受枠４の側板４２の上端部４Ａを支持する受枠支持部１２と、係止部１１と受枠支持部１２とを連結する連結部材１３とを備え、受枠支持部１２は、一端が連結部材１３に接続され、集砂受枠４の上端部４Ａの上方に位置する上部係止壁と、上部係止壁の他端から下方に向けて延びて集砂受枠４の上端部４Ａの内面側に位置する側部係止壁とを備え、集砂受枠４を下部組付け部材３に対して保持する構成の取付部材１０を提供する。【選択図】図１
2014070387.tif 000002
【特許請求の範囲】
【請求項１】
上下に嵌合する上部組付け部材及び下部組付け部材と、該下部組付け部材の底盤体に載置され、底板及びその両側端から立設する側板を有する溝形状の集砂受枠と、を備え、地下で雨水を集めるとともに、外部に流出又は浸透させる雨水貯留浸透槽において、前記集砂受枠を前記下部組付け部材に対して保持するための集砂受枠の取付部材であって、
前記下部組付け部材に係止される係止部と、
前記集砂受枠の側板の上端部を支持する受枠支持部と、
前記係止部と前記受枠支持部とを連結する連結部材と、
を備えていることを特徴とする集砂受枠の取付部材。
【請求項２】
前記受枠支持部は、
一端が前記連結部材に接続され、前記集砂受枠の上端部の上方に位置する上部係止壁と、
前記上部係止壁の他端から下方に向けて延びて前記集砂受枠の上端部の内面側に位置する側部係止壁と、
を備えていることを特徴とする請求項１に記載の集砂受枠の取付部材。
【発明の詳細な説明】
【技術分野】
【０００１】
本発明は、雨水貯留浸透槽における集砂受枠の取付部材に関するものである。
【背景技術】
【０００２】
従来、地下に埋設され、雨水を一時的に貯留し、その後、外部に流出或いは地中に緩やかに浸透させるための雨水貯留浸透槽が知られている。雨水貯留浸透槽は、上下に嵌合する組付け部材と、該組付け部材のうち下部組付け部材内に設けられ、底板及びその両側端から立設する側板を有する溝形状の集砂受枠と、を備え、集砂受枠を取付部材によって下部組付け部材に固定する構成のものがある。
【０００３】
このような取付部材として、例えば下記特許文献１に示されるように、下部組付け部材の底板において集砂受枠の幅方向の両外側に立設された壁状の治具取付部が設けられ、この治具取付部の外側上端に係止する係止部と、該係止部と一体に形成されて、集砂受枠の側板における上端部の内面側に当接する保持部と、を備えた構成のものがある。この場合、取付部材の係止部と保持部との離間を広げた状態で集砂受枠の上端部及び治具取付部に係合することで、その反発力を利用して集砂受枠の上端部を取付治具の保持部と治具取付部の内面との間で挟持して集砂受枠を保持している。
【先行技術文献】
【特許文献】
【０００４】
【特許文献１】特開２００９−１３８３５４号公報
【発明の概要】
【発明が解決しようとする課題】
【０００５】
しかしながら、特許文献１の集砂受枠の取付部材では、係止部と保持部との離間を広げたときの反発力により集砂受枠の上端部を挟持する構成であり、集砂受枠の限られた所定位置にのみ固定することが可能であるため、取付け位置の自由度が少なく、施工性の優れた構造が求められており、その点で改善の余地があった。
【０００６】
本発明は、上述する問題点に鑑みてなされたもので、取付け位置の自由度を高めることで、施工性の向上を図ることができる集砂受枠の取付部材を提供することを目的とする。
【課題を解決するための手段】
【０００７】
上記目的を達成するため、本発明に係る集砂受枠の取付部材では、上下に嵌合する上部組付け部材及び下部組付け部材と、該下部組付け部材の底盤体に載置され、底板及びその両側端から立設する側板を有する溝形状の集砂受枠と、を備え、地下で雨水を集めるとともに、外部に流出又は浸透させる雨水貯留浸透槽において、前記集砂受枠を前記下部組付け部材に対して保持するための集砂受枠の取付部材であって、前記下部組付け部材に係止される係止部と、前記集砂受枠の側板の上端部を支持する受枠支持部と、前記係止部と前記受枠支持部とを連結する連結部材と、を備えていることを特徴としている。
【０００８】
本発明に係る取付部材によれば、下部組付け部材に係止部を係止させた状態で、連結部材の一端に設けられる受枠支持部が集砂受枠の上端部を支持しているので、集砂受枠の上方への移動を規制することができる。そのため、集砂受枠が何らかの外力を受けて浮き上がろうとするときに、取付部材によって集砂受枠が上方へ移動しないように上から押さえられるので、集砂受枠の浮き上がりを防止することができる。また、集砂受枠が幅方向（横方向）へ移動しようとしても、その移動が受枠支持部によって規制されることになる。したがって、下部組付け部材に集砂受枠を取り付ける施工時や、集砂受枠を高圧ジェット等を用いて洗浄する時などに、集砂受枠に対して外力が作用しても、当該取付部材によって集砂受枠が保持され、浮き上がったり、幅方向にずれたりすることがなく、集砂受枠の位置や姿勢を維持することができる。
【０００９】
また、本発明の取付部材は、係止部を下部組付け部材に係止させることで取付部材自体が固定されるので、係止部を下部組付け部材の構成に合わせて適宜な位置で固定することが可能であり、取付部材の取付け位置の自由度を高めることができ、施工性を向上させることができる。
【００１０】
また、係止部を下部組付け部材に係止させた状態で、連結部材の一端に設けられる受枠支持部を集砂受枠の幅方向に揺動させることも可能となるので、集砂受枠の寸法精度が多少悪くても、その集砂受枠の上端部を受枠支持部で保持することができる。さらに、大きさの異なる集砂受枠を取り付ける場合でも、取付部材の形状を変えずに、その集砂受枠を保持することができる。
また、本発明では、集砂受枠を上方から確認しながら取付部材を用いて取り付けることが可能であり、視認性がよく、施工性を向上させることができる。
【００１１】
さらに、本発明では、雨水貯留浸透槽を構成する下部組付け部材に対して直接、取付部材を装着することができ、従来のように取付部材と組付け部材との間に、取付部材を取り付けるための別部材が不要となるので、部材費の増大を抑えることができる。
【００１２】
また、本発明に係る集砂受枠の取付部材では、前記受枠支持部は、一端が前記連結部材に接続され、前記集砂受枠の上端部の上方に位置する上部係止壁と、前記上部係止壁の他端から下方に向けて延びて前記集砂受枠の上端部の内面側に位置する側部係止壁と、を備えていることが好ましい。
【００１３】
この場合、集砂受枠が何らかの外力を受けて浮き上がろうとするときに、集砂受枠の上端部が受枠支持部の上部係止壁に当接しても、取付部材自体が上方へ移動することがないことから、集砂受枠の浮き上がりを規制することができる。また、集砂受枠の上端部の側方に取付部材の側部係止壁が位置するので、集砂受枠が幅方向（横方向）へ移動しようとしても、その移動が側部係止壁によって規制されることになる。
また、本発明の取付部材では、受枠支持部は集砂受枠に対してその長手方向への移動を規制するものではないので、受枠支持部による集砂受枠の上端部に対する保持位置の自由度が増し、施工性が良くなる利点がある。
【発明の効果】
【００１４】
本発明の集砂受枠の取付部材によれば、集砂受枠の底板の適宜な位置に取り付けることが可能であるので、取付部材における取付け位置の自由度を高めることで、施工性の向上を図ることができる。
【図面の簡単な説明】
【００１５】
【図１】本発明の実施の形態による雨水貯留浸透槽の構成を示す斜視図である。
【図２】図１に示すＡ−Ａ線矢視図であって、雨水貯留浸透槽の正面図である。
【図３】図２に示す取付部材の構成を示す正面図である。
【図４】図２に示す取付部材の側面図である。
【図５】取付部材の構成を示す斜視図である。
【図６】本発明の他の実施の形態による雨水貯留浸透槽の構成を示す斜視図である。
【図７】図６に示す取付部材の構成を示す正面図であって、図３に対応する図である。
【図８】本発明の他の実施の形態による雨水貯留浸透槽の構成を示す斜視図である。
【図９】図８に示す取付部材の構成を示す正面図であって、図３に対応する図である。
【発明を実施するための形態】
【００１６】
以下、本発明の実施の形態による集砂受枠の取付部材について、図面に基づいて説明する。
【００１７】
図１の符号１は、地下において雨水を集めるとともに、外部に流出又は浸透させる雨水貯留浸透槽を示している。雨水貯留浸透槽１は、上下に嵌合する図示しない上部組付け部材及び下部組付け部材３と、下部組付け部材３の底盤体３０に載置された溝形状の集砂受枠４と、を備えている。そして、本実施の形態による集砂受枠４の取付部材１０は、雨水貯留浸透槽１において、集砂受枠４を下部組付け部材３に対して保持するためのものである。
【００１８】
図１に示すように、前記上部組付け部材及び下部組付け部材３は、例えば射出成形によって形成されるポリプロピレンなどの合成樹脂からなり、所望の一方向に沿って並べて設けられ、さらに縦方向にも重ねて組み合わせられることで、これら複数組の組付け部材のそれぞれの内部に雨水を貯留する貯留空間Ｒを有している。このときの一方向の配列方向を、以下、「長さ方向Ｘ」という。上下の組付け部材は、嵌合により縦方向（上下方向）に連結可能であり、長さ方向Ｘには連結させずに配置されている。なお、長さ方向Ｘに隣接する組付け部材同士の適宜な連結手段により連結させることも可能である。そして、集砂受枠４は、その受枠軸Ｏを長さ方向Ｘに沿う方向に向けて配設されている。
ここで、以下の説明では、平面視で長さ方向Ｘに直交する方向であって、受枠軸Ｏに対して水平方向に直交する方向を幅方向Ｗとする。
【００１９】
図１および図２に示すように、下部組付け部材３の底盤体３０は、平面視で矩形状（ここでは正方形状）の底盤３１を備え、底盤３１の外周縁部から全周にわたって周壁リブ３２が立設され、平面視で周壁リブ３２の内側に中央リブ３３（縦リブ３３Ａ、横リブ３３Ｂ）が縦横方向（長さ方向Ｘ及び幅方向Ｗ）に沿って設けられている。周壁リブ３２および中央リブ３３は同じ高さで設けられ、底盤体３０の四隅の角部において、三角柱状で上方に突出する嵌合部３４が形成されている。嵌合部３４は、図示しない上部組付け部材と嵌合する。なお、嵌合部３４は、底盤３１とリブ３２、３３とからなるブロック体に対して一体でも別体でもよい。
【００２０】
図３および図４に示すように、中央リブ３３には、底盤３１との境界部分の適宜な位置に貫通穴３５が形成されている。なお、貫通穴３５は、下部組付け部材３の形状として事前に開けておいてもよいし、施工時に開けるようにしてもよい。
【００２１】
下部組付け部材３のリブ３２、３３を有する底盤体３０の幅方向Ｗの中央には、集砂受枠４が長さ方向Ｘに沿って載置されている。集砂受枠４は、長さ方向Ｘの一端側と他端側のそれぞれにおいて、幅方向Ｗで一対の嵌合部３４、３４同士の間に配置され、リブ３２、３３に対して非固定状態で設けられている。
【００２２】
図１および図２に示すように、集砂受枠４は、底板４１及びその両側端から立設する側板４２、４２を有し、上端から幅方向Ｗの外側に向けて延ばされた上縁カール部４３が設けられている。ここで、本実施の形態による集砂受枠４の上端部４Ａは、前記の上縁カール部４３を含む部分をいう。
【００２３】
集砂受枠４は、組み付けられた、不図示の上部組付け部材と下部組付け部材３との間に形成される貯留空間Ｒに配置され、雨水とともに流入した土砂を集積するものであり、長さ方向Ｘに配列された複数の下部組付け部材３の全体にわたって長さ方向Ｘに連続するように配置される。
【００２４】
図１および図２に示すように、取付部材１０は、下部組付け部材３に係止される係止部１１と、集砂受枠４の側板４２の上端部４Ａを支持する受枠支持部１２と、係止部１１と受枠支持部１２とを連結する連結部材１３と、を備えている。
【００２５】
図３および図４に示すように、係止部１１は、底盤体３０の貫通穴３５に係止されるので、その係止部１１を一端に備える連結部材１３は受枠支持部１２へ向けて上方に延在して設けられている。
【００２６】
図３〜図５に示すように、連結部材１３は、受枠支持部１２側の主連結部１３Ａと、主連結部１３Ａの下端から下方に向かうに従い漸次、互いに離反する方向に分岐する上下逆Ｙ字形状をなす一対の分岐連結部１３Ｂ、１３Ｂと、からなる。主連結部１３Ａの上端には、受枠支持部１２が設けられている。一対の分岐連絡部１３Ｂの下端外縁のそれぞれには、係止部１１が設けられている。係止部１１は、互いに対向する側と反対側に向けて張り出すと共に上側に向けて突出する鍵形状のツメ部１６を有している。
ツメ部１６は、リブ３３の一方面側から貫通穴３５に挿入されツメ部１６の先端１６ａがリブの他端面側で掛止される。
【００２７】
受枠支持部１２は、一端が連結部材１３に接続され、集砂受枠４の上端部４Ａ（図１、図２参照）の上方に位置する上部係止壁１４と、この上部係止壁１４の他端から下方に向けて延びて集砂受枠４の上端部４Ａの内面の側方に位置する側部係止壁１５と、を備えている。
【００２８】
取付部材１０は、一対の分岐連結部１３Ｂ、１３Ｂが互いに開脚する方向を長さ方向Ｘに向けた状態で、隣り合う横リブ３３Ｂ同士の間に配置される。つまり、一対の係止部１１は、それぞれが隣り合う横リブ３３Ｂの貫通穴３５に係止される。ここで、一対の分岐連結部１３Ｂ、１３Ｂの開脚角度、および長さ寸法は、一対の係止部１１の位置によって決定されている。
【００２９】
以上説明した集砂受枠の取付部材によれば、以下の作用効果を奏する。
すなわち、図１および図２に示すように、本実施の形態の集砂受枠の取付部材１０では、下部組付け部材３に係止部１１を係止させた状態で、連結部材１３の一端に設けられる受枠支持部１２が集砂受枠４の上端部４Ａを支持しているので、集砂受枠４の上方への移動を規制することができる。そのため、集砂受枠４が何らかの外力を受けて浮き上がろうとするときに、集砂受枠４の上端部４Ａが受枠支持部１２の上部係止壁１４に当接しても、取付部材１０自体が上方へ移動することがないことから、集砂受枠４の浮き上がりを規制することができる。また、集砂受枠４の上端部の側方に取付部材１０の側部係止壁１５が位置するので、集砂受枠４が幅方向Ｗ（横方向）へ移動しようとしても、その移動が側部係止壁１５によって規制されることになる。
【００３０】
また、受枠支持部１２は集砂受枠４に対してその長手方向への移動を規制するものではないので、受枠支持部１２による集砂受枠４の上端部４Ａに対する保持位置の自由度が増し、施工性が良くなる利点がある。
したがって、下部組付け部材３に集砂受枠４を取り付ける施工時や、集砂受枠４を高圧ジェット等を用いて洗浄する時などに、集砂受枠４に対して外力が作用しても、当該取付部材１０によって集砂受枠４が保持され、浮き上がったり、幅方向にずれたりすることがなく、集砂受枠４の位置や姿勢を維持することができる。
【００３１】
また、係止部１１を下部組付け部材３に係止させることで取付部材１０自体が固定されるので、係止部１１を下部組付け部材３の構成に合わせて適宜な位置で固定することが可能であり、取付部材１０の取付け位置の自由度を高めることができ、施工性を向上させることができる。
【００３２】
また、係止部１１を下部組付け部材３に係止させた状態で、連結部材１３の一端に設けられる受枠支持部１２を集砂受枠４の幅方向Ｗに揺動させることも可能となるので、集砂受枠４の寸法精度が多少悪くても、その集砂受枠４の上端部４Ａを受枠支持部１２で保持することができる。さらに、大きさの異なる集砂受枠を取り付ける場合でも、取付部材１０の形状を変えずに、その集砂受枠４を保持することができる。
また、集砂受枠４を上方から確認しながら取付部材１０を用いて取り付けることが可能であり、視認性がよく、施工性を向上させることができる。
【００３３】
さらに、雨水貯留浸透槽１を構成する下部組付け部材３に対して直接、取付部材１０を装着することができ、従来のように取付部材と組付け部材との間に、取付部材を取り付けるための別部材が不要となるので、部材費の増大を抑えることができる。
【００３４】
上述のように本実施の形態による取付部材１０では、集砂受枠４の底板４１の適宜な位置に取り付けることが可能であるので、取付部材１０における取付け位置の自由度を高めることで、施工性の向上を図ることができる。
【００３５】
以上、本発明による集砂受枠の取付部材の実施の形態について説明したが、本発明は上記の実施の形態に限定されるものではなく、その趣旨を逸脱しない範囲で適宜変更可能である。
【００３６】
例えば、上述の本実施の形態では取付部材１０の構成として連結部材１３が一対の分岐連結部１３Ｂ、１３Ｂを備えた上下逆Ｙ字形状をなしているが、このような形状であることに制限されることはない。
例えば、図６および図７に示す他の実施の形態の取付部材１０Ａは、連結部材１３Ａが帯状（図６で長さ方向Ｘに長い寸法の板形状）に形成されており、その連結部材１３Ａの上端に設けられる受枠支持部１２Ａ、および係止部１１Ａも、連結部材１３Ａと同様の幅寸法で形成された構成の一例である。
【００３７】
また、図８および図９に示す他の実施の形態の取付部材１０Ｂは、上述した図６に示す集砂受枠４の両側に配置される２つの取付部材１０Ａ、１０Ａ同士を一体的に連結した構成の一例である。すなわち、一対の受枠支持材部１２同士が、これと同じ幅寸法の連結板１７によって連結されている。
【００３８】
また、本実施の形態では、中央リブ３３に形成した貫通穴３５を使用して係止部１１のツメ部１６を係止させているが、貫通穴の位置は、上記実施の形態に限定されることはなく、下部組付け部材３に設けられている水抜き用の穴や、底盤３１や周壁リブ３２に形成した貫通穴であっても良い。さらに、リブに対する係止部１１の係止位置も底盤３１との境界部分に限らず、リブの高さ方向の中央部分であってもよい。要は、取付部材が少なくとも上方に外れることがないように係止部１１を下部組付け部材３に係止できれば良いのである。なお、取付部材を下部組付け部材の外面に取り付けることも可能であるが、外面には透水シートを覆うので、好ましくは、内面のリブ等に取り付けることが良い。
【００３９】
また、下部組付け部材３がポリプロピレンなどの合成樹脂製の部材のものを採用しているが、このような部材に限定されることはなく、例えばコンクリートや金属製の部材を用いることも可能である。そして、下部組付け部材３の形状、大きさ、リブや周壁部の構成は、限定されるものではなく適宜変更可能である。
また  取付部材の材料はとくに限定されるものではないが、プラスチックを用いることで、軽量で施工しやすく、腐食に強い部材とすることができる。
【００４０】
その他、本発明の趣旨を逸脱しない範囲で、上記した実施の形態における構成要素を周知の構成要素に置き換えることは適宜可能である。
【符号の説明】
【００４１】
１  雨水貯留浸透槽
３  下部組付け部材
４  集砂受枠
１０、１０Ａ、１０Ｂ  取付部材
１１、１１Ａ  係止部
１２、１２Ａ  受枠支持部
１３、１３Ａ  連結部材
１４  上部係止壁
１５  側部係止壁
１６  ツメ部
１７  連結板
３０  底盤体
３３  中央リブ
３３Ａ  縦リブ
３３Ｂ  横リブ
３５  貫通穴
４１  底板
４２  側板
Ｗ  幅方向
Ｘ  長さ方向
【図１】
2014070387.tif 000003
【図２】
2014070387.tif 000004
【図３】
2014070387.tif 000005
【図４】
2014070387.tif 000006
【図５】
2014070387.tif 000007
【図６】
2014070387.tif 000008
【図７】
2014070387.tif 000009
【図８】
2014070387.tif 000010
【図９】
2014070387.tif 000011